(57)【要約】【課題】  認証のための識別子の組み合わせが、利用者の意に反して他人の使用可能な状態になった場合でも、正当な利用者の権限、財産等を保護し、ひいては所有者の生命の危険も回避すること。【解決手段】  複数の識別子の組み合わせとして、正規データを取得可能な正規組み合わせと、正規データ以外のデータを取得可能な不正組み合わせとを設け、正規組み合わせが使用された場合と、不正組み合わせが使用された場合とで、その後の処理内容が異なるようにする。【選択図】    図１
2006119936.tif 000002
【特許請求の範囲】
【請求項１】
個人毎に設定された複数の識別子の組み合わせによって個別データを取得し、当該取得したデータに基づいて処理を実行する認証処理システムにおいて、
前記個別データとして、正規の内容に基づく正規データと、正規データとは異なる他のデータを設け、
前記複数の識別子の組み合わせとして、正規データを取得可能な正規組み合わせと、前記他のデータを取得可能な不正組み合わせとを設け、
正規組み合わせが使用された場合には、正規データに基づいた実行処理を行い、不正組み合わせが使用された場合には、他のデータに基づいた実行処理を可能としたことを特徴とする認証処理システム。
【請求項２】
個人毎に設定された複数の識別子の組み合わせによって個別データを取得し、当該取得したデータに基づいて処理を実行する認証処理システムにおいて、
前記個別データの正規の内容に基づく正規データに改変を加えた加工データを作成可能な加工手段を備え、
前記複数の識別子の組み合わせとして、正規データを取得可能な正規組み合わせと、前記加工データを取得可能な不正組み合わせとを設け、
正規組み合わせが使用された場合には、正規データに基づいた実行処理を行い、不正組み合わせが使用された場合には、加工データに基づいた実行処理を可能としたことを特徴とする認証処理システム。
【請求項３】
前記複数の識別子は、ＩＤとパスワードであり、正規組み合わせとして、正規ＩＤと正規パスワードの組み合わせ、不正組み合わせとして、正規ＩＤと並列パスワードの組み合わせを設けたことを特徴とする請求項１又は２記載の認証処理システム。
【請求項４】
記録担体に記録された認証番号と外部入力される暗証番号により預貯金口座データにアクセスし、預貯金残高範囲内で現金を払い出し可能な現金自動払いシステムであって、
預貯金者の預貯金口座データとして、正規の預貯金額に基づく正規残高データと、正規残高データよりも低い金額に設定された制限残高データとを設け、
前記暗証番号として、正規残高データにアクセス可能な正規暗証番号と、制限残高データにアクセス可能な並列暗証番号とを設け、
正規の記録担体と正規暗証番号が使用された場合には、正規残高データの残高に基づいて現金を払い出し、正規の記録担体と並列暗証番号が使用された場合には、制限残高データの残高に基づいて現金の払い出しを可能としたことを特徴とする現金自動払いシステム。
【請求項５】
記録担体に記録された認証番号と外部入力される暗証番号により預貯金口座データにアクセスし、預貯金残高範囲内で現金を払い出し可能な現金自動払いシステムであって、
預貯金者の正規の預貯金額に基づく正規残高データに改変を加えて、正規残高データの金額よりも低い金額に加工された加工残高データを作成可能な加工手段を備え、
前記暗証番号として、正規残高データにアクセス可能な正規暗証番号と、加工残高データにアクセス可能な並列暗証番号とを設け、
正規の記録担体と正規暗証番号が使用された場合には、正規残高データの残高に基づいて現金を払い出し、正規の記録担体と並列暗証番号が使用された場合には、前記加工手段により加工された加工残高データの残高に基づいて現金の払い出しを可能としたことを特徴とする現金自動払いシステム。
【発明の詳細な説明】
【技術分野】
【０００１】
この発明は、ＩＤとパスワードなどの、複数の識別子の組み合わせにより特定のデータにアクセス又は特定のデータを取得し、そのデータに従って、商品購入、預金の引き出しその他の処理が可能なシステムに関するものである。
【背景技術】
【０００２】
銀行のキャッシュカードやクレジットカード、コンピュータへのログインなど、暗証を利用する認証システムでは、利用者番号（ＩＤ）や暗証番号（パスワード）の組み合わせにより本人確認を行い、キャッシュの引き出しなどを認証している。このようなシステムにおいては、多くの場合、ＩＤやパスワードが違えば認証されず、誤入力、不正入力に関しては、処理の実行を停止することで対処している（特許文献１参照）。
このため、ＩＤやパスワードが違えば認証されず、個人の財産や個人情報を保護できる反面、ＩＤとパスワードさえ一致すれば、本人以外であっても認証されてしまうという欠点がある。例えば、キャッシュカードを盗まれた場合、暗証番号を解読（生年月日などから類推）され預金を引き出されることもある。また、近年は凶悪犯罪も増加しており、強盗に脅迫されて正しい暗証番号（入力してもエラーにならない）を教えないと命が危ないという場合もありうる。
【０００３】
一方、従来のシステムでは、通常ひとつのＩＤに対して一つのパスワードが設定されている。特許文献２のように、利用コースに応じてユーザー一人に対して複数のＩＤを設定するものはあるものの、一人のユーザーが同一対象について複数のパスワードを有し、いずれのパスワードを用いても処理（排除でない）がなされるといったものは存在しない。
【特許文献１】特開２００３−２３４８８号公報（段落０１０６、図１０）
【特許文献２】特開２００２−３２２７９号公報
【発明の開示】
【発明が解決しようとする課題】
【０００４】
そこで、本願発明は、認証のための識別子の組み合わせのうち、一方（例えば暗証番号）について複数の設定を認め、他方（例えばキャッシュカード）が所有者の意に反して他人の手に渡った場合でも、例えば利用者のプロフィールから容易に類推可能なパスワードや暗証番号をダミー番号としてわざと積極的に受けいれ（エラー排除せず）、その代わりに、ダミー番号の使用者には、認証により正当な利用者が本来受けるべき利益よりも制限された利益を与える処理を行わせたり、非常通報などを行うことにより、正当な利用者の権限、財産等を保護し、ひいては所有者の生命の危険も回避しようとするものである。
【課題を解決するための手段】
【０００５】
各請求項に記載された各発明は、上記した目的を達成するためになされたものであり、本発明の特徴点を図面に示した発明の実施の形態を用いて、以下に説明する。
なお、括弧内の符号は発明の実施の形態において用いた符号を示し、本発明の技術的範囲を限定するものではない。
（請求項１）
請求項１記載の発明は、個人毎に設定された複数の識別子の組み合わせによって個別データを取得し、当該取得したデータに基づいて処理を実行する認証処理システムに係る。そして、前記個別データとして、正規の内容に基づく正規データと、正規データとは異なる他のデータを設け、前記複数の識別子の組み合わせとして、正規データを取得可能な正規組み合わせと、他のデータを取得可能な不正組み合わせとを設け、正規組み合わせが使用された場合には、正規データに基づいた実行処理を行い、不正組み合わせが使用された場合には、他のデータに基づいた実行処理を可能としたことを特徴とする。
【０００６】
ここで、「複数の識別子の組み合わせ」とは、ＩＤと暗証番号のような異種組み合わせだけでなく、二つのパスワードのような同種組み合わせも含む。また、「個別データ」とは、前記複数の識別子の組み合わせにより取得又はアクセス可能なデータであって、主として、認証を受ける者（顧客、ユーザー）が所有する財産に関するデータを想定している。例えば預金口座の残高データや、オンライン株取引の持ち株データなどを含む。
またここで、「正規データ」とは、個別データの内容（預金残高など）をそのまま表すデータであって、「他のデータ」とは、個別データの内容を表さない、いわゆるダミーデータである。「他のデータ」は、個別データの内容に関わりなく予め定められていてもよいし、個別データの内容に基づいて設定されるものであってもよい。預金口座を例にすると、例えば正規データが現実の預金残高データで、他のデータは預金残高０のデータとすることを含む。
【０００７】
さらに、「正規データに基づいた実行処理」とは、通常の処理のことであって、例えばキャッシュカードと暗証番号の入力で現金の引き出しができるといったものである。一方、「他のデータに基づいた実行処理」とは、通常の処理ではないが、不正組み合わせの使用そのものによって処理が中断、中止されるなどの排除を伴わない実行処理であり、好ましくは、正規データに基づいた実行処理で認証者が受けるべき利益、権限よりも、制限された利益、権限を与える処理とするのがよい。例えば操作そのものはエラー扱いとせず受け入れるが預金残高がゼロで現金を引き出せないようにするとか、少額しか引き出せないようにすることを含む。
【０００８】
本発明によれば、複数の識別子の組み合わせが不正組み合わせの場合には、正規のデータに基づかない処理が実行され、特定の利用者、例えば不正利用者には、制限された利益、権限しか与えないことが可能である。また、不正組み合わせそのものが排除される訳ではないので、例えば脅迫などに対処する場合に不正組み合わせを提示すれば、最低限の損失で身の危険を回避できる。
（請求項２）
請求項２記載の発明は、個人毎に設定された複数の識別子の組み合わせによって個別データを取得し、当該取得したデータに基づいて処理を実行する認証処理システムにおいて、前記個別データの正規の内容に基づく正規データに改変を加えた加工データを作成可能な加工手段（加工部23）を備え、前記複数の識別子の組み合わせとして、正規データを取得可能な正規組み合わせと、加工データを取得可能な不正組み合わせとを設け、正規組み合わせが使用された場合には、正規データに基づいた実行処理を行い、不正組み合わせが使用された場合には、加工データに基づいた実行処理を可能としたことを特徴とする。
【０００９】
本発明は、正規データを基にデータを加工する機能を持たせたものである。加工手段の加工方法としては、例えば正規データが数値の場合には所定の演算処理を施して加工データを取得することができる。本発明によれば、データの内容に応じて適切なダミーデータを提供することができる。
（請求項３）
請求項３記載の発明は、上記請求項１又は２記載の発明の特徴点に加え、前記複数の識別子は、ＩＤとパスワードであり、正規組み合わせとして、正規ＩＤと正規パスワードの組み合わせ、不正組み合わせとして、正規ＩＤと並列パスワードの組み合わせを設けたことを特徴とする。
【００１０】
本発明は、複数の識別子の種類を限定したものである。
（請求項４）
請求項４記載の発明は、記録担体に記録された認証番号と外部入力される暗証番号により預貯金口座データにアクセスし、預貯金残高範囲内で現金を払い出し可能な現金自動払いシステムに係る。そして、預貯金者の預貯金口座データとして、正規の預貯金額に基づく正規残高データと、正規残高データよりも低い金額に設定された制限残高データとを設け、前記暗証番号として、正規残高データにアクセス可能な正規暗証番号と、制限残高データにアクセス可能な並列暗証番号とを設け、正規の記録担体と正規暗証番号が使用された場合には、正規残高データの残高に基づいて現金を払い出し、正規の記録担体と並列暗証番号が使用された場合には、制限残高データの残高に基づいて現金の払い出しを可能としたことを特徴とする。
【００１１】
本発明は、認証処理システムとして、現金自動払いシステムに限定したものであり、請求項１に対応するものである。ここで、「記録担体」とは、キャッシュカード、クレジットカードなどの磁気カードを含む。
本発明によれば、例えば並列暗証番号として、利用者のプロフィールから容易に類推できる番号を登録しておき、キャッシュカードが盗難にあった場合でも並列暗証番号を容易に使用させて最低限の被害で済ませることができる。
（請求項５）
請求項５記載の発明は、記録担体に記録された認証番号と外部入力される暗証番号により預貯金口座データにアクセスし、預貯金残高範囲内で現金を払い出し可能な現金自動払いシステムであって、預貯金者の正規の預貯金額に基づく正規残高データに改変を加えて、正規残高データの金額よりも低い金額に加工された加工残高データを作成可能な加工手段を備え、前記暗証番号として、正規残高データにアクセス可能な正規暗証番号と、加工残高データにアクセス可能な並列暗証番号とを設け、正規の記録担体と正規暗証番号が使用された場合には、正規残高データの残高に基づいて現金を払い出し、正規の記録担体と並列暗証番号が使用された場合には、前記加工手段により加工された加工残高データの残高に基づいて現金の払い出しを可能としたことを特徴とする。
【００１２】
本発明は、認証処理システムとして、現金自動払いシステムに限定したものであり、請求項２に対応するものである。
【発明の効果】
【００１３】
本願発明は、以上のように構成されているので、不正使用者が認証のための不正組み合わせを使用した場合には、認証のための正規な組み合わせが使用された場合と異なる処理を行い、正当な利用者の権限、財産等を保護し、ひいては所有者の生命の危険も回避することができる。
【発明を実施するための最良の形態】
【００１４】
本発明の好適な実施の形態を、現金自動払いシステムを例に、図面に基づき説明する。
（図面の説明）
図１乃至図３は、本発明の実施の形態を示すものである。
図１は現金自動払いシステムの概略を示すブロック図、図２は現金自動払い装置の作動の概略を示す流れ図、図３は現金自動払いシステムの他の例を示すブロック図である。
本実施の形態における現金自動払いシステムは、図１に示すように、ＡＴＭやＣＤなどの現金自動払い装置１から、キャッシュカード又はクレジットカードの投入及び暗証番号の入力をすることによりにより、ホストコンピュータの預金管理装置２が保持している預金残高データにアクセスし、預金口座からの現金引き出しができるようになっているものである。
【００１５】
（預金管理装置２）
預金管理装置２は、預金口座ごとの出入金を管理するためのものであり、図１に示すように、少なくとも、顧客ごとに設定されたＩＤと、顧客により決定された複数の暗証番号（図中ＰＷで示す）、及び各暗証番号に対応して設けられた預金残高データを記憶したテーブルを有している。
ここで、複数の暗証番号のうち、「ＰＷ１」で示す一の暗証番号は、正規暗証番号であって、ＩＤとの組み合わせにより正規組み合わせを構成する。そしてこれは、正規の預金内容を表す正規残高データに対応している。一方、「ＰＷ２」で示す他の暗証番号は、並列暗証番号であって、ＩＤとの組み合わせにより不正組み合わせを構成する。そしてこれは、正規の預金内容よりも預金残高が低くなるよう予め設定された制限残高データに対応している。
【００１６】
制限残高データとしては、例えば「０」や「５０００」に設定することができる。また、制限残高を顧客の希望する金額に設定できるようにしてもよい。なお、並列暗証番号を複数設定し、複数の制限残高データと対応させるようにしてもよい。
預金残高データは、預金の引き出し、入金に応じて適宜書き換えられる。このうち、正規残高データが書き換えられるのは当然であるが、制限残高データは変更されないようにすることができる。あるいは、「ＰＷ２」を用いて預金の引き出しが行われた場合に限り、制限残高データが書き換えられるようにしてもよい。
（現金自動払い装置１）
現金自動払い装置１は、図１に示すように、外部入力部10、処理判定部20、処理実行部30を有している。なお、現金自動払い装置１としては、上記以外の構成を有していても構わない。
【００１７】
（外部入力部10）
外部入力部10は、認証のための識別子の組み合わせを入力可能な操作部であり、カード挿入口11と数字入力部12から成る。そして、カード挿入口11にキャッシュカードやクレジットカードを挿入すると、それらに記録されたＩＤが読み出される。また数字入力部12は、テンキーや液晶タッチパネルであって、暗証番号を入力することができる。なお、数字入力部12は、払い出し金額その他必要項目を数字で入力することもできる。
（処理判定部20）
処理判定部20は、入力された認証番号に基づいて処理を決定するためのものであり、判定部21及び出力部22を備える。判定部21は、カードから読み出されたＩＤと、入力された暗証番号の有効性を判定し、預金管理装置２のどの預金残高データにアクセスするかを決定するとともに、該当する預金残高データを取得するものである。出力部22は、判定部21の決定に基づき、取得した預金残高データを処理実行部30に出力するとともに、処理実行部30からの現金払出処理情報を預金管理装置２に出力するためのものである。
【００１８】
（処理実行部30）
処理実行部30は、処理判定部20の決定に基づき、現金払い出しに伴う処理その他の処理を行わせるためのものであり、少なくとも、画像表示処理部31、現金払出処理部32、非常通報処理部33を有している。なお、処理実行部30としては、上記以外の構成を有していても構わない。
画像表示処理部31は、液晶画面などに、預金残高や入力画面など払い出しに関する画像を表示させるためのものである。現金払出処理部32は、取得した預金残高データに基づき、現金を払い出すための処理を行うものである。具体的には、現金払出処理部32は、預金残高データの金額の範囲内で、現金払い出し処理を行うものであり、入力された払い出し金額が預金残高データよりも多い場合には、払い出しを行わず、画像表示処理部31に所定の表示をさせる。現金払い出し処理が行われた場合には、払い出し金額データが預金管理装置２に出力され、預金残高データが書き換えられる。
【００１９】
非常通報処理部33は、所定の場合に、所轄の警察や警備会社、金融機関などに、所定の通報を行うためのものである。ここで、所定の場合としては、並列暗証番号が使用された場合とすることができるが、この場合に通報するかどうかは、顧客が予め通報設定を希望している場合に行うようにすることができる。また、所定の通報を受けた場合、並列暗証番号の使用者を監視カメラで特定したり、それ以降カードの使用を無効にする処置をとるなどすることができる。
（現金自動払い装置１の作動の説明）
以上の構成を有する現金自動払い装置１について、現金払い出しに関する作動の一例を、図２のフローに基づき説明する。
【００２０】
まず、カード挿入口11にカードが挿入されることにより、ステップ１００において、ＩＤが認証されたかどうかを判断する。すなわち、登録された顧客のＩＤかどうかを判断し、ＩＤが登録されたものでない場合には、カードの返却など所定のエラー処理を行う。ＩＤが認証された場合には、次のステップ１０１に進む。
ステップ１０１において、暗証番号の入力の有無を判断する。暗証番号の入力が無い場合には、ステップ１０１に戻る。暗証番号が入力された場合には、次のステップ１０２に進む。
ステップ１０２において、入力されたのが正規暗証番号かどうかを判断する。正規暗証番号の場合には、次のステップ１０３に進む。
【００２１】
ステップ１０３において、残高表示指示（例えば残高照会ボタンの操作）があるかどうかを判断する。残高表示指示があった場合には、次のステップ１０４に進む。
ステップ１０４において、正規の残高が表示される。例えば、預金残高が１０万円の場合には、１０万円の表示がされる。そしてステップ１０８に進む。前記ステップ１０３において、残高表示指示がない場合にも、ステップ１０８に進む。
前記ステップ１０２において、入力されたのが正規暗証番号でない場合には、ステップ１０５に進む。
ステップ１０５において、入力されたのが並列暗証番号かどうかを判断する。並列暗証番号でない場合には、ステップ１１１に進み、入力ミス扱いのエラー処理を行う。並列暗証番号である場合には、次のステップ１０６に進む。
【００２２】
ステップ１０６において、残高表示指示があるかどうかを判断する。残高表示指示があった場合には、次のステップ１０７に進む。
ステップ１０７において、修正画面が表示される。すなわち、並列暗証番号に対応する制限残高データの金額が表示される。例えば、預金残高が１０万円であっても、予め設定した金額、例えば「０円」とか「５千円」が表示される。そして、次のステップ１０８に進む。前記ステップ１０６において、残高表示指示がない場合にも、ステップ１０８に進む。
ステップ１０８において、払い出し金額の入力があるかどうかを判断する。払い出し金額の入力がない場合には、「取り消し」や「終了」の指示（ボタン操作等）を条件に、現金払い出し処理を終了する。払い出し金額が入力された場合には、次のステップ１０９に進む。
【００２３】
ステップ１０９において、入力値が預金残高範囲内かどうかを判断する。ここで、現金自動払い装置１が「預金残高」として認識しているのは、正規暗証番号が使用されている場合には正規残高データの金額（前述の例では１０万円）であり、並列暗証番号が使用されている場合には制限残高データの金額（前述の例では０円や５千円）である。入力値が預金残高を超えている場合には、預金残高が足りない旨の表示を行うと共にエラー処理をする。すなわち、実際には１０万円の預金があっても、並列暗証番号を使用した場合には、制限残高データが「０円」の場合には現金を全く引き出せず、制限残高データが「５千円」の場合には５千円以内の金額しか引き出せない。一方、入力値が預金残高範囲内である場合には、次のステップ１１０に進む。
【００２４】
ステップ１１０において、払い出し指示の入力値に応じて、現金払い出し処理を行う。そして現金払出処理を終了する。
なおここで、装置内から現金が排出されるとともに、払い出し金額データが預金管理装置２に出力されて、それに応じて預金残高データが書き換えられる。具体的には、例えば正規暗証番号を使用して３千円引き出した場合には、正規残高データが１０万円から３千円差し引いた９万７千円となる（手数料等は考慮しない）。一方、並列暗証番号を使用して３千円引き出した場合には、以下の二つの処理方法がある。
ひとつは、正規残高データを１０万円から３千円差し引いた９万７千円とし、制限残高データ（５千円）は書き換えずそのままにしておくことができる。もうひとつは、正規残高データを１０万円から３千円差し引いた９万７千円とし、制限残高データを５千円から３千円を差し引いた２千円とするものである。後者によれば、支払い明細書の残高表示や次に現金を引き出すときの残高が２千円となっており、リアリティーがあるため、並列暗証番号よるダミーデータであることが発覚しにくいという利点がある。
【００２５】
さらに、並列暗証番号の使用時に非常通報を行う設定となっている場合には、現金払い出し処理と同時に非常通報処理を行う。
このように、本実施の形態によれば、正規暗証番号と並列暗証番号により、現実に払い出し可能な金額に差をつけることができる。そして、例えば並列暗証番号として、正当な預金口座所有者の生年月日、住所、電話番号等のプロフィールから類推できる番号を設定しておき、万一キャッシュカードが所有者の意に反して（盗難、強盗による脅迫）他人の手に渡った場合でも、カードと並列暗証番号の使用では、虚偽の預金残高が表示され、かつ実際にその金額以下の現金しか引き出すことができず、被害を最低限にすることができる。これは特に、脅迫されて本当の暗証番号を言わないと身体生命が危険である場合などに役立つ。また、そのように物騒な場合だけでなく、例えば子供用に並列暗証番号を設け、制限残高データとして５千円や１万円などを設定しておき、子供が多額の現金を引き出せないようにして教育的用途に使用することもできる。
【００２６】
なお、本システムにおいてクレジットカードを使用する場合、最大引き出し限度額が低く設定されたダミーデータが表示され、その金額以上は引き出せないように形成することもできる。
（本システムの他の例）
上記システムにおいては、預金残高データとして、予め定められた制限残高データが記憶されており、カードと並列暗証番号の使用によりこの制限残高データにアクセス可能に形成されていたが、預金残高データとしては正規残高データのみ記憶し、カードと並列暗証番号が使用された場合には、正規残高データを適宜加工して、加工残高データに基づいて払い出し処理を行わせるようにしてもよいものである。
【００２７】
具体的には、図３に示すように、預金管理装置２は、ＩＤと複数の暗証番号と正規残高データを記憶している。また、現金自動払い装置１の処理判定部20には、加工部23が設けられている。加工部23は、並列暗証番号使用時に、取得した預金残高データ（正規残高データ）に改変を加えて加工残高データを作成するためのものである。そして、処理実行部30は、この加工残高データに基づいて、画像表示処理や現金払出処理を行うようになっている。
ここで、加工部23は、正規残高データをもとに、正規残高よりも金額が低くなるように所定の演算を行って加工残高データを作成するものである。例えば、正規残高データの金額の１％を加工残高データとしたり（正規残高×０．０１）、正規残高データの金額から一定金額（ｎ円）だけ少ない金額を加工残高データとする（正規残高−ｎ、ｎ＜正規残高）ように設定することができる。
【００２８】
なお、正規残高データの加工を、預金管理装置２で行うようにしてもよい。この場合には、預金管理装置２に加工部を設け、現金自動払い装置１の処理判定部20は並列暗証番号使用時に預金管理装置２にデータ加工要請信号を出力し、これに基づいて預金管理装置２の加工部が正規残高データを加工し、当該加工残高データを処理判定部20が取得するものとすればよい。
さらに、図１及び図３に示す実施の形態においては、非常通報処理部33を現金自動払い装置１に設けてあるが、非常通報処理部33の設置場所はこれに限られず、例えばホストコンピュータに設けてもよいものである。
【００２９】
以上述べてきた制限残高データ又は加工残高データの内容については、これらのうちいずれかの態様を単独で用いてもよく、あるいは複数の態様を組み合わせて用いてもよい。
また、本発明は、現金自動払いシステム以外にも応用することができる。例えば、キャッシュカードなどの物理媒体を使用しないオンラインバンキングや、ＩＤとパスワードを用いて特定のデータにアクセス可能なコンピュータネットワークシステムにおいても、正規ＩＤと正規パスワードの組み合わせで正規データにアクセスでき、正規ＩＤと並列パスワードの組み合わせで、ダミーデータにアクセスするように形成することができる。
【図面の簡単な説明】
【００３０】
【図１】本発明の実施の形態であって、現金自動払いシステムの概略を示すブロック図である。
【図２】本発明の実施の形態であって、現金自動払い装置の作動の概略を示す流れ図である。
【図３】本発明の実施の形態であって、現金自動払いシステムの他の例を示すブロック図である。
【符号の説明】
【００３１】
１  現金自動払い装置          ２  預金管理装置
10  外部入力部                11  カード挿入口
12  数字入力部
20  処理判定部                21  判定部
22  出力部                    23  加工部（加工手段）
30  処理実行部                31  画像表示処理部
32  現金払出処理部            33  非常通報処理部
【図１】
2006119936.tif 000003
【図２】
2006119936.tif 000004
【図３】
2006119936.tif 000005